(57)【要約】【課題】リード線の出し入れ作業を極めて安全、且つ容易に行うことができる通線工具を提供する。【解決手段】リード線１と、該リード線１を収納する収納ケース２とを備える。収納ケース２は、内側ケース１０と外側ケース２０で構成する。外側ケース２０内に内側ケース１０を回転自在に収納する。外側ケース２０にリード線１を挿通する引出孔２１を形成する。内側ケース１０にリード線１の基端部を固定する。内側ケース１０にリード線１を巻き付けて収納する。内側ケース１０に規制部１２を設ける。規制部１２は巻き付けたリード線１を内側ケース１０の幅中心部に沿ってまとめる。【選択図】  図１
2020072482.tif 000002
【特許請求の範囲】
【請求項１】
ケーブルの配線ルートに通すリード線と、該リード線を巻き取って収納するリング形状の収納ケースとを備えた通線工具において、収納ケースは、リング形状の筒体外輪部に沿って開口する開口部を有し内部にリード線の基端部を固定すると共に、該リード線を巻き付けて収納する内側ケースと、該内側ケースを回転自在に収納する筒体状を成しリード線を挿通する引出孔を筒体外輪部の一部に備えた外側ケースとで構成されたことを特徴とする通線工具。
【請求項２】
前記内側ケースの一部が露出する操作用開口部を外側ケースに形成し、該操作用開口部から露出した前記内側ケースの側面をつかんで前記リード線を引き戻すように構成すると共に、該操作用開口部から露出する前記内側ケース内の前記リード線を覆うガード体を前記外側ケースに設けた請求項１記載の通線工具。
【請求項３】
前記内側ケース内に巻き付けた前記リード線が、前記内側ケースの幅中心部にまとまるように前記リード線の両側を囲んで規制する規制部を前記内側ケース内に設けた請求項１記載の通線工具。
【請求項４】
前記規制部は、前記リード線の底部側から両側を囲む断面逆コ字形状の溝を成すように形成され、前記リード線は、前記規制部内で順次積み重なる帯状鋼線にて設けられた請求項３記載の通線工具。
【請求項５】
前記内側ケースはリング形状の筒体外輪部を中心として左右に分割された内側面体を接合して構成すると共に、前記外側ケースはリング形状の筒体外輪部を中心として左右に分割された外側面体を接合して構成する請求項１記載の通線工具。
【請求項６】
前記内側ケースの外側面に前記外側ケースの内側面に当接する回転軌条を突設した請求項１記載の通線工具。
【発明の詳細な説明】
【技術分野】
【０００１】
本発明は、各種のケーブルを床下あるいは天井裏などに配線する際に、ケーブル配線ルートに先行してリード線を通す通線工具に関するものである。
【背景技術】
【０００２】
床下あるいは天井裏などに各種のケーブルを配線する工事として、まず通線工具の長いリード線を配線ルートに通した後、このリード線の先端部にケーブルを繋げ、リード線を引き戻すことでケーブルを配線する工事がある。
【０００３】
リード線の材質として、帯状鋼線やピアノ線、ワイヤーケーブルなどの各種の線状材が使用されている。このようなリード線は、床下あるいは天井裏などに通す際に、障害物をよけながら通すことができるように弾性力を備えている。ところが、この弾性力がリード線の巻き取り作業を困難にしていた。
【０００４】
すなわち、直線状のリード線をケース内に巻き取ると、丸められたリード線自身の弾性力でケースの外側に向けた反発力が高まる。そのため、この反発力によりケース内に巻き取られたリード線が乱れる現象が生じていた。
【０００５】
例えば、特許文献１に記載の「リード線収納引出器」は、巻き取り操作時に、リード線の基端部が反発してケースからはみ出ないようにするものである。このリード線の基端部とは、ケースの中に回転自在に収納している円環状の誘導部材に最初に巻き付ける端部のことで、この基端部から順に誘導部材に巻き付けた後、最後に残る端部がリード線の先端部となる。
【０００６】
そして、このリード線の先端部をケースの開口部から引き出した後、このリード線を巻き取る操作になる。この巻き取り操作の際に、ケースの一部から露出しているリール状のリード線を手でつかんで回転させると、最初に巻き付けてあるリード線の基端部が反発してケースの開口部からはみ出る現象が回転操作の妨げになっていた。特許文献１の「リード線収納引出器」では、リード線の基端部を円環状の誘導部材に連結することで、このようなリード線の乱れを解消するものである。
【０００７】
また、特許文献２に記載の「通線用ワイヤの巻取リール製造方法」には、パイプを使用した環状体のケースを外側と内側とに分割し、内側の環状体にリード線を巻き取るように構成したケースが示されている。
【０００８】
この環状体のケースは、外側の環状体に連結具を設け、この連結具で内側環状体を回転自在に保持する構成である。そして連結具で保持された内側環状体の内部にリード線の基端部を連結し、内側環状体を回転させるとリード線が内側環状体に巻き付くように構成している。
【先行技術文献】
【特許文献】
【０００９】
【特許文献１】実用新案登録第２５７４０１８号公報
【特許文献２】特開昭５７-１９９４０９号公報
【発明の概要】
【発明が解決しようとする課題】
【００１０】
特許文献１に記載のケースでは、リード線を巻き取る際に、ケースの一部から露出しているリール状のリード線を手でつかんで回転操作する為、手の皮や指等がリード線に挟まり易く、巻き取り操作が極めて危険な作業になっていた。
【００１１】
しかも、パイプ状のケース内と巻き取ったリード線との間に隙間がある場合、ケース内で反発するリード線が乱れ易くなるため、この隙間を埋めるようにリード線が外側に広がる現象が生じる。したがって、ケース内に収納したリード線を何度も出し入れすると、ケース内の隙間に沿って広がったリード線が次第に内壁に密着し、この密着が操作時の大きな抵抗になっていた。
【００１２】
一方、特許文献２に記載のケースは、パイプを外部と内部とに二分した構成である。そのため、内側の環状体に巻き取ったリード線と外側の環状体との間に広い隙間が生じている上、リード線を巻き取った内側の環状体は、パイプを二分した半円形状を成しているので、リード線の左右にも隙間が生じている。したがって、このケースでは、リード線の周囲に広がっている隙間を埋めるようにリード線が極めて反発し易い状態になっている。そのため、巻き取ったリード線が隙間に沿って乱れると、大きく膨らんだリード線が外側の環状体にまで接し、内側の環状体の回転操作が極めて困難になる虞がある。
【００１３】
更に、特許文献１及び特許文献２のいずれのケースも、巻き取ったリード線を外部に引き出す引出口が広く、巻き取ったリード線の一部が露出する構造をなしている。すなわち、特許文献１はケースの一部を切り欠いた切欠部からリード線の外側の一部が露出する。また、特許文献２では、外側の環状体の一部を切り欠いた通過許可部で内側の環状体に巻き付けたリード線の外側が露出するのみならず、外側の環状体と内側の環状体との間においてもリード線の外側全体が露出している状態になっている。
【００１４】
このように、リール状の外側のリード線が露出した部分では、常に外側に向けて反発する弾性力により、リード線がより膨らみ易い状態になっている。また、引出口が広いと、この引出口に係止しているリード線の先端部の位置が移動し易いので、巻き取ったリード線の乱れを誘引する虞もある。そして、露出部分のリード線がケースの外側に大きく広がってしまうと、もはや操作不能にならざるを得ない。
【００１５】
そこで、本発明は上述の課題を解消すべく創出されたもので、リード線の出し入れ作業を極めて安全、且つ容易に行うことができる通線工具の提供を目的とするものである。
【課題を解決するための手段】
【００１６】
上述の目的を達成すべく本発明における第１の手段は、ケーブルの配線ルートに通すリード線１と、該リード線１を巻き取って収納するリング形状の収納ケース２とを備えた通線工具において、収納ケース２は、リング形状の筒体外輪部に沿って開口する開口部１１を有し内部にリード線１の基端部を固定すると共に、該リード線１を巻き付けて収納する内側ケース１０と、該内側ケース１０を回転自在に収納する筒体状を成しリード線１を挿通する引出孔２１を筒体外輪部の一部に備えた外側ケース２０とで構成されたことにある。
【００１７】
第２の手段は、前記内側ケース１０の一部が露出する操作用開口部２２を外側ケース２０に形成し、該操作用開口部２２から露出した前記内側ケース１０の側面をつかんで前記リード線１を引き戻すように構成すると共に、該操作用開口部２２から露出する前記内側ケース１０内の前記リード線１を覆うガード体２３を前記外側ケース２０に設けたものである。
【００１８】
第３の手段は、前記内側ケース１０内に巻き付けた前記リード線１が、前記内側ケース１０の幅中心部にまとまるように前記リード線１の両側を囲んで規制する規制部１２を前記内側ケース１０内に設けたことにある。
【００１９】
第４の手段の前記規制部１２は、前記内側ケース１０に巻き付けられる前記リード線１の底部側から両側を囲む断面逆コ字形状の溝を成すように形成され、前記リード線１は、前記規制部１２内で順次積み重なる帯状鋼線にて設けられている。
【００２０】
第５の手段において、前記内側ケース１０はリング形状の筒体外輪部を中心として左右に分割された内側面体１３を接合して構成すると共に、前記外側ケース２０はリング形状の筒体外輪部を中心として左右に分割された外側面体２４を接合して構成する。
【００２１】
第６の手段は、前記内側ケース１０の外側面に前記外側ケース２０の内側面に当接する回転軌条１４を突設したことにある。
【発明の効果】
【００２２】
本発明は、内側ケースと外側ケースを設けることより、リード線に一切触れることはなく巻き取ることができるため、安全に且つスムーズに操作できるようになった。
【図面の簡単な説明】
【００２３】
【図１】本発明の一実施例を示す側面図である。
【図２】本発明の内部を示す断面図である。
【図３】本発明の規制部を示す断面図である。
【図４】本発明のガード体を示す要部斜視図である。
【図５】本発明のガード体を示す要部断面図である。
【図６】本発明の内側面体と外側面体を示す分解斜視図である。
【図７】（イ）〜（ハ）は、本発明のヘッドを示す側面図である。
【図８】本発明収納ケースからリード線を引き出す操作を示す側面図である。
【図９】本発明収納ケースにリード線を巻き取る操作を示す側面図である。
【発明を実施するための形態】
【００２４】
本発明工具は、ケーブルの配線ルートに通すリード線１と、このリード線１を巻き取って収納するリング状の収納ケース２とを備えた通線工具である（図１参照）。
【００２５】
リード線１は、帯状鋼線やピアノ線、ワイヤーケーブルなどの、弾性力を持った各種の線状材が使用される。特に、帯状鋼線は直進性に優れた性質があり、重ねて巻き付けることが可能になるので、巻き取った状態では最も乱れ難いリード線１となる（図３参照）。
【００２６】
収納ケース２は、リング形状の筒体から成る内側ケース１０と外側ケース２０との二重構造を成している（図１参照）。収納ケース２内に収納しているリード線１を引き出す場合は、外側ケース２０から突出しているリード線１を引き出しながらケーブルの配線ルートに通すものである（図２、図８参照）。
【００２７】
内側ケース１０は、外側ケース２０の内部で回転する部位で、この内側ケース１０内にリード線１を巻き付けて収納する。そのため、リード線１の基端部をこの内側ケース１０内に固定している（図２参照）。図示例では、リード線１の基端部から内側ケース１０を貫通する固定ボルト３０を使用して固定している。そのため、巻き取る操作の際、リード線は露出していないので、必ずリード線の内側から引っ張ることになり、スムーズな操作ができる。
【００２８】
この内側ケース１０に、リング形状の筒体外輪部に沿って開口する開口部１１を形成している（図３参照）。この開口部１１を通して内側ケース１０にリード線１を巻き付けたり引き出したりするものである。
【００２９】
更に、この内側ケース１０にリード線１の位置を規制する規制部１２を設けている（図３参照）。この規制部１２は、内側ケース１０に巻き付けるリード線１が、内側ケース１０の厚みの中央側にまとまるようにリード線１の両側を規制するものである。このように、規制部１２を内側ケース１０内に設けることにより、巻き付けたリード線１の左右が規制されリード線１の左右への乱れを防止することができる。この結果、リード線１を何度も出し入れしても、巻き取ったリード線１の乱れを防止することができる。
【００３０】
図示の規制部１２は、内側ケース１０に巻き付けられるリード線１の底部側から両側を囲む断面逆コ字形状の溝を成すように形成されている。更に、図示例では、規制部１２を形成する複数の突起を内側ケース１０の内側面体１３内に間隔を置いて突設している（図６参照）。そして、一対の内側面体１３を筒状に合わせると、複数の規制部１２によって断面逆コ字形状の複数の溝が間隔を開けて連続形成されるものである（図３参照）。
【００３１】
また、図示のリード線１は、規制部１２により断面逆コ字形状に形成されている溝内に収まる帯状鋼線にて設けられている（図３参照）。このリード線１は、溝内で順次積み重なるので、重なったリード線１が左右にずれるような乱れを確実に防止することができる。
【００３２】
すなわち、リード線１は、規制部１２内で順次積み重なる帯状鋼線にて設けることで、規制部１２内へのリード線１の収まりが最も良好な状態になる。そのため、規制部１２内におけるリード線１の乱れ防止効果が最も高くなり、長期間の使用でも安定した操作性は変わらないものになる。
【００３３】
一方、外側ケース２０は、内側ケース１０を回転自在に収納する外側の部位であり、内側ケース１０内のリード線１を引き出す引出孔２１を筒体外輪部の一部に開口している（図１参照）。そして、内側ケース１０から、外側ケース２０の引出孔２１を通してリード線１を出し入れするように構成している（図２参照）。
【００３４】
この引出孔２１は、リード線１の太さに合わせてできるだけ開口部を小さく形成することで、リード線１が引出孔２１に係止している状態を維持することができる。すなわち、この引出孔２１が広く大きい場合は、引出孔２１に係止しているリード線１の位置がぶれやすく、又巻き付けているリード線１が外側へ膨れるように変形する虞がある。ところが、引出孔２１の開口部分をできるだけ小さくすることで、リード線１のブレが生じ難くなり、巻き付けているリード線１の変形も防止することが可能になる。
【００３５】
更に、このリード線１を挿通する引出孔２１を外側ケース２０の筒体外輪部の一部に備えているので、巻き取ったリード線１の先端部分は、自身の弾性力にてこの引出孔２１に常時係止状態となり、リード線１先端部の乱れを防止する。この結果、リード線１の先端部から操作用開口部２２のリード線１に至るまで弾性力による乱れを防止できるので、繰り返し使用しても極めてスムーズな操作を維持することができる。
【００３６】
更に、外側ケース２０には、引出孔２１の開口部分とは別の位置に、内側ケース１０の一部が露出する操作用開口部２２を形成している（図４参照）。そして、この操作用開口部２２から露出した内側ケース１０内の開口部１１を覆うガード体２３を、外側ケース２０の外輪部に沿って設けている（図５参照）。この結果、操作用開口部２２から内側ケース１０の一部が露出していても、内側ケース１０内部のリード線１はガード体２３に覆われて全く外部に露出しない状態になっている（図４参照）。
【００３７】
このガード体２３により、操作用開口部２２から内側ケース１０内のリード線１が反発して外側に飛び出すおそれを確実に防止することができる。
【００３８】
引き出したリード線１を内側ケース１０に戻すには、この操作用開口部２２から露出した内側ケース１０の側面をつかんでリード線１を引き戻す作業になる（図９参照）。このとき、リード線１は全く露出していないので、この引き戻し作業時にリード線１で手指を痛めるといった従来の不都合は完全に解消されている。
【００３９】
このように、操作用開口部２２から露出した内側ケース１０の側面をつかんでリード線１を引き戻すように構成することで、作業者はリード線１に一切触れずに操作ができる。したがって、リード線の出し入れ作業が極めて安全な作業になった。
【００４０】
また、図示例では、内側ケース１０の外側面に回転軌条１４を突設し、この回転軌条１４を外側ケース２０の内側面に当接させている（図３、４参照）。この回転軌条１４により、内側ケース１０と外側ケース２０との摩擦面を少なくすることができる。この結果、内側ケース１０の回転操作時の負荷が少なくなり、内側ケース１０の回転操作を軽くすることができる。
【００４１】
また、収納ケース２を構成する内側ケース１０と外側ケース２０とは、いずれもリングの外輪部に沿って左右に分割された部材を連結することで構成している（図６参照）。すなわち、内側ケース１０は、リング形状の筒体外輪部を中心として左右に分割された内側面体１３を接合して内側ケース１０を構成する。また、外側ケース２０も、左右に分割された外側面体２４を接合して構成したものである。このような構成は、収納ケース２の製造工程のみならず、リング状を成す収納ケース２の組立てが容易になり、メンテナンスにも好適である。尚、分割された各部材の連結手段は、例えばボルトとナットを使用する他、従来周知の連結手段を選択することができる。
【００４２】
ヘッド３は、リード線１の先端に設けられる部材である（図７参照）。このヘッド３は、床下あるいは天井裏などにリード線１を通す際に、障害物をよけ易いように装着されている。図示のヘッド３は、先端部の形状が３段階に変化するように構成している。すなわち、ヘッド基体３Ａに、延長片３Ｂと再延長片３Ｃとが重なった第１の形状（図７（イ）参照）。次に、ヘッド基体３Ａに、延長片３Ｂが展開して全長が伸びた第２の形状（同図（ロ）参照）。更に、展開した延長片３Ｂから再延長片３Ｃが展開して全長が最も長くなった第３の形状である（同図（ハ）参照）。また、このヘッド３の任意の部分に反射ステッカー（図示せず）等を貼り付けることで、視認性を良くすることも可能である。尚、ヘッド３の形状や材質、付属品等は、任意に変更することが可能である。
【００４３】
収納ケース２内のリード線１を引き出す場合は、外側ケース２０から突出しているリード線１を引き出しながらケーブルの配線ルートに通すものである（図８参照）。また、引き出したリード線１を引き戻すには、外に出ている内側ケース１０をつかんで回転させることで、安定した巻き取り操作ができるものである（図９参照）。
【００４４】
尚、本発明の形状等は図示例に限定されるものではなく、本発明の要旨を変更しない範囲での設計変更は自由である。
【符号の説明】
【００４５】
１  リード線
２  収納ケース
３  ヘッド
３Ａ  ヘッド基体
３Ｂ  延長片
３Ｃ  再延長片
１０  内側ケース
１１  開口部
１２  規制部
１３  内側面体
１４  回転軌条
２０  外側ケース
２１  引出孔
２２  操作用開口部
２３  ガード体
２４  外側面体
３０  固定ボルト
【図１】
2020072482.tif 000003
【図２】
2020072482.tif 000004
【図３】
2020072482.tif 000005
【図４】
2020072482.tif 000006
【図５】
2020072482.tif 000007
【図６】
2020072482.tif 000008
【図７】
2020072482.tif 000009
【図８】
2020072482.tif 000010
【図９】
2020072482.tif 000011